(57)【要約】【課題】端末装置での電源オン後の操作を禁止したい操作制限期間中は、端末装置の入力手段からの操作を制限し、利用者の悪戯を防止できる操作制御付端末装置を提供する。【解決手段】オペレーティングシステムやアプリケーションプログラム等を保有するコンピュータ２と、このコンピュータ２に接続されて利用者への提供情報を表示する表示手段３と、コンピュータに接続されて利用者が操作する入力手段４で端末装置１を構成する。であって、前記コンピュータ２と入力手段４との間に、入力手段４からの入力操作の制限制御を行う操作制御手段１０を介在させて構成している。操作制御手段１０は、信号２ｃの通過を制御する信号遮断スイッチ１２と、コンピュータ２からの指令信号２ｂによって信号遮断スイッチ１２の切り替えを制御する切り替え処理部１１を備えている。【選択図】図１
2007188132.tif 000002
【特許請求の範囲】
【請求項１】
オペレーティングシステムやアプリケーションプログラム等を保有するコンピュータと、前記コンピュータに接続されて利用者への提供情報を表示する表示手段と、前記コンピュータに接続されて利用者が操作する入力手段と、を有する端末装置であって、前記コンピュータと入力手段との間には、入力手段からの入力操作の制限制御を行う操作制御手段を介在させて構成したことを特徴とする操作制御付端末装置。
【請求項２】
請求項１において、前記操作制御手段は、入力手段からの信号の通過を制御する信号遮断スイッチとコンピュータからの指令信号で前記信号遮断スイッチの切り替えを制御する切り替え処理部とから構成したことを特徴とする操作制御付端末装置。
【請求項３】
請求項１において、前記操作制御手段は、入力手段からの信号の通過を制御するプログラムを有する電子操作制御部を備えて構成したことを特徴とする操作制御付端末装置。
【請求項４】
請求項１から３のいずれかにおいて、前記コンピュータと入力手段との間に操作制御手段を介在させた端末装置は、ネットワークを介して遠隔操作装置と接続して構成したことを特徴とする操作制御付端末装置。
【発明の詳細な説明】
【技術分野】
【０００１】
本発明は操作制御付端末装置に係り、特に不特定多数の利用者が使用する操作制御付端末装置に関する。
【背景技術】
【０００２】
通常、不特定多数の利用者が使用する端末装置は、オペレーティングシステム（以下、「ＯＳ」と略称する。）やアプリケーションプログラム（以下、「ＡＰ」と略称する）等を保有するコンピュータと、タッチパネル等の入力手段と、表示手段から構成しており、各所に設置して使用されている。
【０００３】
例えば、銀行や病院における端末装置としてや、公共施設の施設予約や証明書自動交付の用途に用いる端末装置や、学校において証明書自動発行や出席管理更には学生の呼び出し等のための事務連絡用の端末装置等として使用用途が拡大してきている。通常、これら端末装置では、予め定めた業務の開始時間及び終了時間に、電源をオン、オフすることが行われている。
【０００４】
例えば、業務開始時に電源をオンし、業務終了時にオフするコンピュータシステムとして、タイマと、予め設定されたオン時刻とオフ時刻を設定するレジスタを持ち、タイマとオン時刻を比較してオンし、タイマとオフ時刻を比較してオフする方式がある。そして、停電があった場合には、復電した時刻と、予め設定されたオン時刻及びオフ時刻を比較してオンとすべき期間であれば電源をオンし、オフとすべき期間であれば電源をオフにする制御を可能としている（特許文献１参照）。
また、端末装置にタイマや、電源オン時刻と電源オフ時刻を持たずに業務開始時に電源をオンにするものとして、電源のオン時刻の設定値はホストコンピュータで管理し、ホストコンピュータのタイマと電源のオン時刻の設定値を比較して、ホストコンピュータから端末のモデムに対して発呼し、端末装置のモデムの着呼信号を利用して電源をオンにする方式（特許文献２参照）や、ＬＡＮ（Ｌｏｃａｌ  Ａｒｅａ  Ｎｅｔｗｏｒｋ）の特別な電文が着信したことを利用して電源をオンする方式（特許文献３参照）がある。
更には、端末装置に、この電源部とは別の遠隔電源制御装置用電源部を設けておき、電源オンと電源オフの要因を端末装置に通知して、プログラムの動作を適切なものに切り替える方式がある（特許文献４参照）。
また、端末装置の電源配線にＪＩＳＣ８３０３配線用差込接続器で規定されたプラグ及びコンセントを使用している場合等では、誰でも抜き差しすることが可能であるので、コンセントからプラグを抜いて停電させ、改めてコンセントにプラグを挿して起動させることで、端末装置の動作を初期状態に戻してしまう悪戯を防止するものとしては、復電後の一定時間は電源をオンにしないことも提案されている（特許文献５参照）。
【０００５】
【特許文献１】特開平５−１９９０８号公報
【特許文献２】特開平５−１２７７８３号公報
【特許文献３】特開平５−３１６１２６号公報
【特許文献４】特開平７−２２５６２９号公報
【特許文献５】特開平８−７７３２号公報
【発明の開示】
【発明が解決しようとする課題】
【０００６】
しかし、従来の不特定多数の利用者が使用する端末装置においては、電源オン後の立上処理の期間、即ちＢＩＯＳ（Ｂａｓｉｃ  Ｉｎｐｕｔ  Ｏｕｔｐｕｔ  Ｓｙｓｔｅｍ）の起動処理、ＯＳの起動処理、ＡＰの起動処理の期間中に、タッチパネル等の入力手段を操作して、表示手段の画面上のアイコンを操作するなどの悪戯を防止することは全く考慮されていなかった。
【０００７】
また、端末装置を遠隔操作で電源をオン、オフ操作できる例も多数提案されているが、遠隔操作で端末装置の保守点検を行う際にも、端末装置の画面上にはＯＳの機能を操作できる画面に切り替えたり、ＡＰの設定を変更する画面が表示されている状態に切り替えた場合等に、悪意のある利用者によって入力手段から操作し、悪戯の恐れがあった。特に、課金装置を備えた現金を扱う端末装置の場合は、現金の盗難の恐れがあった。
【０００８】
本発明の目的は、端末装置での電源オン後、立上処理の期間や端末装置を遠隔操作で保守点検を行う際等の操作を禁止したい操作制限期間中は、端末装置の入力手段からの操作を制限し、利用者による悪戯を防止できる操作制御付端末装置を提供することにある。
【課題を解決するための手段】
【０００９】
本発明の操作制御付端末装置では、オペレーティングシステムやアプリケーションプログラム等を保有するコンピュータと、前記コンピュータに接続されて利用者への提供情報を表示する表示手段と、前記コンピュータに接続されて利用者が操作する入力手段とにより端末装置を構成する際、コンピュータと入力手段との間には、入力手段からの入力操作の制限制御を行う操作制御手段を介在させて構成したものである。
【００１０】
そして、操作制御手段は、入力手段からコンピュータへの信号の通過を制御する信号遮断スイッチと、コンピュータからの指令信号で信号遮断スイッチを切り替え制御する切り替え処理部とを備えている。
【発明の効果】
【００１１】
本発明のように操作制御付端末装置を構成すれば、端末装置での電源オン後の操作制限期間中は、端末装置の入力手段からの操作を制限できるから、不特定多数の利用者が使用するものであっても、利用者による誤った操作や悪戯を効果的に防止することができる。
【発明を実施するための最良の形態】
【００１２】
本発明の操作制御付端末装置は、コンピュータと表示手段と入力手段とにより端末装置を構成する。しかも、コンピュータと入力手段との間に、入力手段からの入力操作の制限制御を行う操作制御手段を介在させている。
【実施例１】
【００１３】
本発明の操作制御付端末装置を、図１に示す一実施例を用いて説明する。端末装置１は、通常のものと同様にＯＳや種々のＡＰを有するコンピュータ２と、利用者への提供情報を表示する表示手段３と、タッチパネルやキーボード等の入力手段４を備えて構成しており、コンピュータ２と表示手段３とは映像信号ケーブルで接続し、表示手段３に映像信号２ａを送るようにしている。
【００１４】
また、コンピュータ２と入力手段４とは、本発明により操作制御手段１０を介して信号ケーブルで接続しており、米国電子工業会が制定したシリアル通信におけるインターフェイス規格であるＲＳ−２３２Ｃの信号２ｃ、２ｄが送受信される。
【００１５】
本発明の操作制御手段１０は、この実施例ではコンピュータ２と入力手段４間の接続をオンオフして信号２ｃの通過を制御する信号遮断スイッチ１２と、コンピュータ２からの指令信号２ｂによって信号遮断スイッチ１２の切り替えを制御する切り替え処理部１１から構成している。
【００１６】
操作制御手段１０は、コンピュータ２から入力手段４への信号２ｄは問題なく通すが、入力手段４からコンピュータ２への信号２ｃは、切り替え処理部１１によって信号遮断スイッチ１２をＡ側に切り替えると、入力手段４からコンピュータ２への信号２ｃを通し、また切り替え処理部１１によりＢ側に切り替えると、入力手段４からコンピュータ２への信号２ｃを遮断して無信号発生部１３側へ切り替え、コンピュータ２にはＲＳ−２３２規格における無信号状態を与えるようになる。
【００１７】
また、操作制御手段１０の切り替え処理部１１は、端末装置１の電源オン時の初期値は、Ｂ側に切り替えておくものであり、コンピュータ２からの信号２ｂが、入力手段４の信号オンの指示であれば、信号遮断スイッチ１２をＡ側に切り替え、逆に入力手段４の信号オフの指示であれば、信号遮断スイッチ１２をＢ側に切り替える処理を行うようにしている。
【００１８】
本発明の操作制御付端末装置で、起動時に利用者の悪戯を防止する手順を、図２により説明する。端末装置１が電源オンし、起動処理開始のステップＳ１０１の時点では、操作制御手段１０の信号遮断スイッチ１２はＢ側にある。
【００１９】
このため、入力手段４からの信号２ｃは遮断され、ＢＩＯＳ起動処理のステップＳ１０２、ＯＳ起動処理のステップＳ１０３、ＡＰ起動処理のステップＳ１０４の期間は、入力手段信号の遮断期間を維持し、利用者が入力手段４を操作しても、操作信号２ｃは送信不能な状態となるから、悪戯を防止できる。
【００２０】
そして、ＡＰの起動処理のステップＳ１０４が終了して、利用者が入力手段４を操作しても問題のない状態に達した後、入力手段信号オン指示のステップＳ１０５に移行させ、この時点で切り替え処理部１１の働きで信号遮断スイッチ１２をＡ側に切り替え、入力手段４からコンピュータ２への信号２ｃを通す状態の入力手段信号の接続期間にし、利用者の入力手段４の操作が可能な状態を維持する。
【実施例２】
【００２１】
本発明による操作制御付端末装置の第二の実施例を、図３を用いて説明する。この端末装置１では、第一の実施例と略同様な構成であって相違するところは、コンピュータ２と入力手段４との接続を、本発明の操作制御手段１０を介してＵＳＢ（Ｕｎｉｖｅｒｓａｌ  Ｓｅｒｉａｌ  Ｂｕｓ）規格ケーブル３１で行ったものである。
【００２２】
この実施例での操作制御手段１０も同様に、信号遮断スイッチ１２と、信号遮断スイッチ１２の切り替えを制御する切り替え処理部１１からなっている。この操作制御手段１０を設けた端末装置１でも、常に通るコンピュータ２から入力手段４への信号２ｄ１、２ｄ２と異なり、操作制御手段１０の信号遮断スイッチ１２が存在する。
【００２３】
このため、信号遮断スイッチ１２をＡ側に切り替えることで、入力手段４とコンピュータ２間のＤ＋信号２ｃ１及びＤ−信号２ｃ２を通し、またＢ側に切り替えることで、入力手段４からコンピュータ２へのＤ＋信号２ｃ１及びＤ−信号２ｃ２を遮断して、コンピュータ２にはＵＳＢ規格における周辺機器の接続がないのと同様な状態を与えるものである。
【００２４】
切り替え処理部１１は、上記した第一の例と同様に電源オン時の初期値は、Ｂ側に切り替えておき、コンピュータ２からの信号２ｂが、入力手段４の信号オンの指示であれば、信号遮断スイッチ１２をＡ側に切り替え、入力手段４の信号オフの指示であれば、信号遮断スイッチ１２をＢ側に切り替える処理を行うものである。この第二の実施例の操作制御手段１０を使用して、起動時に利用者の悪戯を防止する手順は、第一実施例の場合と同様である。
【実施例３】
【００２５】
本発明による操作制御付端末装置の第三の実施例を、図４を用いて説明する。端末装置１は、上記した実施例と同様の構成であるが、コンピュータ２と操作制御手段１０間及び操作制御手段１０と入力手段４との間は、それぞれＵＳＢ規格ケーブル４１及び４２で接続している。
【００２６】
また、操作制御手段１０は、ＵＳＢケーブル４１を用いてコンピュータ２と接続するためのＵＳＢポート３４、入力手段４と接続するＵＳＢケーブル４１と、入力手段４と接続するためのＵＳＢポート３５と、図１及び図３の切換処理部１１と信号遮断スイッチ１２の役割をする電子操作制御部２１とを備えている。
【００２７】
電子操作制御部２１は、入力手段４からの信号のオンオフを制御するプログラムを保持するＲＯＭ（Ｒｅａｄ  Ｏｎｌｙ  Ｍｅｍｏｒｙ）２３と、ＲＡＭ（Ｒａｎｄｏｍ  Ａｃｃｅｓｓ  Ｍｅｍｏｒｙ）２４と、ＣＰＵ（Ｃｅｎｔｒａｌ  Ｐｒｏｃｅｓｓｉｎｇ  Ｕｎｉｔ）２５とを、バス２２に接続して構成したものである。
電子操作制御部２１のＲＯＭ２３に格納したプログラムの作用により、コンピュータ２からの信号は、ＵＳＢポート１４から一旦ＣＰＵ３８に入り、ＲＡＭ３７に格納され、ＵＳＢポート１５から入力手段４へ送信される。
また、ＲＯＭ３６に格納したプログラムの作用により、入力手段４からの信号は、逆にＵＳＢポート３５から一旦ＣＰＵ３８に入り、ＲＡＭ３７に格納され、ＵＳＢポート３４からコンピュータ２へ送信される。
電子操作制御部２１を備えた操作制御手段１０を、コンピュータ２と入力手段４との間に介在させた端末装置１の論理的な構成は、図５に示すようになる。電子操作制御部２１のＲＯＭ３６に格納したプログラムの働きにより、切り替え処理部１１及び信号遮断スイッチ１２を設けたものと同等となる。
【００２８】
このため、第一及び第二の実施例と同様にスイッチ制御部１１及び信号遮断スイッチ１２相当のプログラムの働きで、Ａ側に接続状態で入力手段４とコンピュータ２のＤ＋信号２ｃ１及びＤ−信号２ｃ２を通し、またＢ側に切り替えた状態で、入力手段４からコンピュータ２への信号Ｄ＋信号２ｃ１及びＤ−信号２ｃ２を遮断するのと同等の動作をし、コンピュータ２と入力手段４間の通信信号のオンオフを操作制御して、コンピュータ２にはＵＳＢ規格における周辺機器の接続がない状態を与えることができる。
【実施例４】
【００２９】
更に、図６に示す端末装置１は、その内部構成は上記した各実施例と同様のものであるが、この端末装置１にはネットワーク等の通信手段３１を介して、コンピュータ２の保守点検や新たなＡＰのインストール等を行うための遠隔操作用の遠隔操作装置３０を連結したものである。
【００３０】
通信手段３１は、例えばＬＡＮを使用し、ＲＳ−２３２ＣやＩＳＤＮ（Ｉｎｔｅｇｒａｔｅｄ  Ｓｅｒｖｉｃｅｓ  Ｄｉｇｉｔａｌ  Ｎｅｔｗｏｒｋ）ＵＳＢ又はこれらの通信手段の組み合わせでも良いものである。
【００３１】
このように遠隔操作装置３０を用いて端末装置１を遠隔操作する際の手順を、図７に示している。まず、図７（ａ）の如くオペレータによる遠隔操作装置３０からの遠隔捜査開始のステップＳ２０１後、遠隔操作装置３０を用いて、入力手段４からの信号のオフ指令をコンピュータ２へ送信する（ステップＳ２０２）。
【００３２】
これにより、コンピュータ２では、図７（ｂ）の如く入力手段４の信号オフ指令を受信すると、ＡＰに基づいて信号遮断スイッチ１２をＢ側に切り替えて、入力手段４からコンピュータ２への信号の接続期間が、遮断期間に変更される。
【００３３】
この入力手段４からの信号の遮断期間に、遠隔操作装置３０から例えば保守用の操作指示の送信を順に行い（ステップＳ２０３）、遠隔操作を終えて通常の運用に戻す際には、オペレータが遠隔操作装置３０用いて、入力手段４からコンピュータ２への信号のオン指令をコンピュータ２へ送信する（ステップＳ２０４）。
【００３４】
コンピュータ２側では、入力手段４信号オン指令を受け、ＡＰに基づいて信号遮断スイッチ１２をＢ側に切り替えられ、入力手段４からコンピュータ２への信号の接続期間に変更となり、利用者の操作が可能となる。
【００３５】
このように、遠隔操作装置３０からの遠隔操作による保守点検や、新たな情報等の提供のために端末装置１を操作する場合においても、操作制御手段１０の働きを活用して、利用者の誤った操作や悪戯を排除することができる。
【図面の簡単な説明】
【００３６】
【図１】本発明の第一実施例である操作制御付端末装置の概略構成図である。
【図２】本発明の第一実施例の操作制御付端末装置での起動時における手順を示すフローチャートである。
【図３】本発明の第二の実施例である操作制御付端末装置の概略構成図である。
【図４】本発明の第三の実施例である操作制御付端末装置の概略構成図である。
【図５】本発明の第三の実施例における論理的な構成図である。
【図６】本発明の操作制御付端末装置を用いた遠隔操作の構成図である。
【図７】本発明の操作制御付端末装置を用いて遠隔操作する場合の手順を示すフローチャートである。
【符号の説明】
【００３７】
１…端末装置、２…コンピュータ、３…表示手段、４…入力手段、１０…操作制御手段、１１…切り替え処理部、１２…信号遮断スイッチ、２１…電子操作制御部、３０…隔操作装置、３１…通信手段。
【図１】
2007188132.tif 000003
【図２】
2007188132.tif 000004
【図３】
2007188132.tif 000005
【図４】
2007188132.tif 000006
【図５】
2007188132.tif 000007
【図６】
2007188132.tif 000008
【図７】
2007188132.tif 000009